(57)【要約】      （修正有）【課題】製造コストを抑えながら、重量物や複数の物品を掛止可能なフック部を有する掛止具を提供する。【解決手段】掛止具１００は、板状部材から一体的かつ面一に形成される本体部１、及びフック部２を有し、本体部１に対しフック部２を折起こしてフック部２に物品を掛止し、掛止具１００は、フック部２の厚み方向と垂直な方向を掛止方向とする。掛止具１００は、連結部３に折線２ｃを備え、フック部２の厚み方向と垂直な方向を掛止方向とする。折線２ｃは、板状部材のフック部２を折起こす側の表面に設けられるとともに、Ｕ字溝又はＶ字溝からなることが好ましく、フック部２は複数備えられ、複数のフック部２の折線２ｃが同一直線上に位置し、複数のフック部２は、折線２ｃの両側から交互に折起こされることが好ましい。【選択図】図１
0003193267.tif 000002
【実用新案登録請求の範囲】
【請求項１】
板状部材から一体的かつ面一に形成される本体部、及びフック部を有し、前記本体部に対し前記フック部を折起こして前記フック部に物品を掛止する掛止具であって、
前記フック部の厚み方向と垂直な方向を掛止方向とすることを特徴とする掛止具。
【請求項２】
前記フック部と前記本体部の境界に前記フック部を前記本体部に対し折起こすための折線を備える請求項１に記載の掛止具。
【請求項３】
前記折線が、Ｕ字溝又はＶ字溝からなる請求項２に記載の掛止具。
【請求項４】
前記フック部を複数備え、
前記複数のフック部の折線が同一直線上に位置する請求項２又は請求項３のいずれか１項に記載の掛止具。
【請求項５】
前記複数のフック部は、前記折線の両側から交互に折起こされる請求項４に記載の掛止具。
【請求項６】
前記本体部に広告用ポスターを貼付する掲示部を有する請求項１から請求項５のいずれか１項に記載の掛止具
【請求項７】
前記掲示部に貼付されたポスターを覆うための透明樹脂板からなるカバーを備える請求項６に記載の掛止具。
【考案の詳細な説明】
【技術分野】
【０００１】
この考案は、フックに物品を吊り下げて展示や収納を行うための掛止具に関する。
【背景技術】
【０００２】
従来、小売店舗等で小物商品を展示販売するための什器として、商品を吊り下げるためのフック部を多数備えた掛止具が汎用されている。かかる掛止具は、例えば、特許文献１の掛止具に見られるように、一般に樹脂を射出成型して形成されるため、金型の製作コストが嵩むという問題があった。
【０００３】
そこで、例えば、特許文献２のように、樹脂製の板状部材の一部を切り起こしてフック部を形成する「クリップフック」という名称の掛止具が提案されている。この特許文献２の掛止具は、可撓性を有する合成樹脂板から上方と両側方に切り込みを入れた略台形状部分を底辺部分で下方へ折返すように板状部材から起こしてフックとするもので、因みに、その名の通り、合成樹脂の可撓性を利用してフック部に物を挟むクリップ機能を具備している。
【先行技術文献】
【特許文献】
【０００４】
【特許文献１】特開２０１２−８０９２９号公報
【特許文献２】特開２０１１−２４７４０１号公報
【考案の概要】
【考案が解決しようとする課題】
【０００５】
しかし、特許文献２のような掛止具は、フックが撓んでしまうため重量のある物は掛止できないという問題や、フックの根元部分に物品を掛止することとなるため、複数の物品を掛止できないという問題がある。
本考案は、上記課題に鑑みてなされたものであり、製造コストを抑えながら、重量物や複数の物品を掛止可能なフック部を有する掛止具の提供を目的とする。
【課題を解決するための手段】
【０００６】
上記課題を解決するためになされた考案は、板状部材から一体的かつ面一に形成される本体部、及びフック部を有し、前記本体部に対し前記フック部を折起こして前記フック部に物品を掛止する掛止具であって、前記フック部の厚み方向と垂直な方向を掛止方向とすることを特徴とする。
ここで、「掛止方向」とは、フック部に掛止した物品にかかる重力の方向をいうものとする。
【０００７】
本考案に係る掛止具では、このように、フック部の厚み方向と垂直な方向を掛止方向とするため、フック部が被掛止物の重量により撓むことを抑制できる。
【０００８】
本考案に係る掛止具は、前記フック部と前記本体部の境界に前記フック部を前記本体部に対し折起こすための折線を備えることが好ましい。かかる折線を備えることで、折起こしたフック部が板状部材の可撓性により、折起こす前の方向へ戻ってしまうことを抑制できる。
【０００９】
本考案の掛止具は、前記折線が、Ｕ字溝又はＶ字溝からなることが好ましい。こうすることで、フック部を切起こした際に折線部に加わる応力を軽減して、フック部が折線部で破損することを抑制できる。
【００１０】
本考案の掛止具では、前記フック部を複数備え、前記複数のフック部の折線が同一直線上に位置することが好ましい。こうすることで、複数の商品を掛止できるとともに、複数の商品を掛止した場合に商品の重量により掛止具が傾くことを抑制できる。
【００１１】
前記複数のフック部は、前記折線の両側から交互に折起こされるが好ましい。こうすることで、フックを立ち上げたあとに本体部に形成される切れ込み部の数が本体部の両側で均等に配置されるため、より掛止具のバランスを向上させることができる。
【００１２】
本考案の掛止具は、前記本体部に広告用ポスターを貼付する掲示部を有してもよく、当該掲示部に貼付されたポスターを覆うための透明樹脂板からなるカバーを備えてもよい。こうすることで、当該掛止具に掛止した商品の宣伝を効率よく行うことができる。
【考案の効果】
【００１３】
以上説明したように、本考案の掛止具によれば、フック部が被掛止物の重量により撓むことを抑制できるため、フック部に重量物を掛止したり、１つのフック部に複数の物品を掛止したりすることができる。
【図面の簡単な説明】
【００１４】
【図１】本考案の第１実施形態に係る掛止具において、フック部を倒した状態を示す斜視図である。
【図２】図１に示した掛止具のフック部を折起こした状態を示す斜視図である。
【図３】図１に示した掛止具に商品を掛止した様子を示す斜視図である。
【図４】図１に示した掛止具の折線の長手方向に垂直な断面図である。
【図５】本考案の第２実施形態に係る掛止具に、図３に示した方法とは別の方法で商品を掛止した様子を示す斜視図である。
【図６】本考案の第３実施形態に係る掛止具に、また別の方法で商品を掛止した様子を示す斜視図である。
【図７】本考案に係る掛止具に、さらに別の方法で商品を掛止した様子を側面視で示す説明図である。
【考案を実施するための形態】
【００１５】
以下、適宜図面を用いながら本考案の実施形態について詳述する。ただし、本考案は、以下の実施形態に限定されるものではない。
（第１実施形態）
図１乃至図３は、本考案の第１実施形態に係る掛止具１００を示している。掛止具１００は、透明樹脂製の板状部材をトムソン型により打ち抜いて成形され、本体部１と、複数のフック部２と、を主に備える他、アイ片３を備えている。
【００１６】
本体部１は、図２に示すように、当該掛止具１００の使用時の上下方向を長手方向とする長方形状を有し、幅方向の両端にフック部２を折起こしたあとのフック部２と略同形状をなした切れ込み部分１ａが形成されている。
【００１７】
フック部２は、図１に示すように、先端が上方へ湾曲した「し」の字状の掛止用部２１と、掛止用部２１よりも上下方向の幅が広く設けられた基端部２２とを有し、本体部１の幅方向の両端から内側へと切れ込む上下一対の切込線２ａ，２ｂによって、本体部１から切断分離され、上下の切込線２ａ，２ｂの内側端どうしを結ぶ直線状の折線２ｃで折り曲げられて、本体部１に対し垂直な方向に折起こされる。
本実施形態では、本体部１の左右６個ずつ計１２個のフック部２が、上から順に、右、左、右、…と左右から交互に切起こされている。
折線２ｃは、図４に示すように、折線２ｃの延びる方向に垂直な断面がＶ字又はＵ字に形成されることが好ましく、Ｕ字に形成されることがより好ましい。Ｕ字やＶ字にすることで、フック部２を折起こした際に、フック部２が折線部で破損することを抑制できる。また、当該断面をＵ字とすることで、折線の底部に亀裂が入ることを抑制できる。
【００１８】
アイ片３は、図１に示すように、本体部１の上辺の両端に一対が設けられ、本体部１の右辺の上端部に１個が設けられている。アイ片３の中心には、掛止具１００を吊り下げるための紐やフックを挿通する貫通孔３ａが設けられている。
【００１９】
次に、以上のような構成を有する掛止具１００の使用方法及び作用効果について説明する。掛止具１００を使用する際には、アイ片３を利用して壁等に吊り下げる。図３の例では、アイ片３に掛け紐４を取り付け、さらに掛け紐４にＳ字金具５を取り付け、Ｓ字金具５を壁に設けたフック６へ引き掛ける。あるいは、アイ片３を壁に打ち込んだ釘や木ネジに引き掛けるようにしてもよい。掛止具１００を壁等に吊り下げると、図３に示すように掛止具１００に吊り下げる商品Ａを掛止する。この際、商品Ａの大きさに応じて、適宜必要な数だけフック部２を手前側に折起こす。このとき、フック部２は、先端側が本体部１の端縁へ露出しているので、側方からフック部２の先端に指をかけることができ、容易に手前に折起こすことができる。
【００２０】
また、フック部２は、図３に示すように、物品の掛止方向がフック部２の厚み方向に垂直であるため、フック部の厚み方向を掛止方向とする場合に比べて撓みにくく、より重量のある商品を掛止したり複数の商品を係止したりすることができる。
【００２１】
また、フック部２は、掛止用部２１よりも基端部２２の上下方向の幅を大きく設けたことから折線２ｃを長くすることができ、フック部２に釣り下げた商品から折線２ｃの単位長さあたりに加わる力を小さくできるため、フック部２が折線２ｃで破損することを抑制できる。
【００２２】
さらに、折線２ｃの断面形状がＵ字やＶ字に形成されていることから、フック部２を本体部１の表側に垂直に折起こした際に、折線２ｃの表側部分が押し潰されることがないため、折線２ｃの部分でフック部２が破損しにくい。また、折起こしたフック部２が元に戻ろうとする力を抑制できるため、フック部２の向きが本体部１に対し傾斜することを抑制できる。
【００２３】
（第２実施形態）
図５は、本考案の第２実施形態に係る掛止具２００を示している。掛止具２００は、本体部１の上端辺の中央にアイ片３を１個のみ備えている。第１実施形態のようにアイ片３が本体部１の上端辺に２個設けられる場合は、掛け紐４を吊るす金具の向きにより掛け紐４がねじれる場合がある。第２実施形態では、アイ片１を１つにすることで、掛け紐４のねじれを抑制している。また、アイ片３がフック部２の折線２ｃの延長線上に設けられるため、掛止具２００の左右のバランスを十分に確保することができる。また、掛止具２００は、上端部に広告用のポスター７を貼付する掲示部１ｄを備えている。
【００２４】
図５では、フック部２を起こさずに商品Ａを掛止している。厚みの無い商品はこのようにフック部２を起こさずに掛止でき、フック部２を起こさないことで、フック部２が嵩張ることを抑制できる。また、このようにフック部２を起こさずに掛止することで、薄手の商品であれば、図５のように、商品を重ねて掛止することができる。
【００２５】
（第３実施形態）
図６は、本考案の第３実施形態に係る掛止具３００を示している。掛止具３００は、本体部１の掲示部１ｄを覆うカバー８を備えている。カバー８は矩形の透明樹脂からなる。また、第３実施形態のアイ片３は、掛け紐４をかける際にカバー８が邪魔にならないよう本体部１との境界に設けた折線３ｂで、後方へ倒すことができる。
【００２６】
図６では、１つのフック部２に商品Ａを複数個掛止する様子を示している。さらに、図７は、集めの商品Ｂを本考案の掛止具１００に掛止するようすを示している。図７に示すように、フック部２を本体部１の表側と裏側の両方へ交互に起こして商品Ｂを掛止することで厚みを有する商品Ｂであっても多数個を効率的に掛止することができる。
尚、図５〜図７で示した商品の掛止方法は、第１〜第３実施形態のいずれの掛止具でも用いることができる。
【００２７】
本考案の掛止具は、上記の実施形態に限られるものではなく、例えば、フック部の数は１１個以下でも１３個以上でもよい。フック部は、板状部材の端縁から離れた位置で切起こされてもよい。本体部は縦長の長方形に限らず、横長の長方形でもよく、長方形に限らず円形、楕円形等の曲線で囲まれた形状や、三角形、五角形等の多角形や、トラック型等の直線及び曲線で囲まれた形状でもよい。複数のフック部は上下に並べるものに限らず、水平方向に並べても水平方向に傾斜する方向に並べてもよいし、円形に並べても本体部に散在するよう並べてもよい。本体部を水平方向に対し傾斜して設置するよう構成してもよい。
【産業上の利用可能性】
【００２８】
本考案の掛止具は、フック部に重量のある物品を掛止でき、また１つのフック部に複数の物品を係止できることから、家庭や店舗において各種の商品や日用品を掛止する掛止具として好適に採用できる。
【符号の説明】
【００２９】
１００，２００，３００  掛止具
１  本体部
２  フック部
２ｃ  折線
【図１】
0003193267.tif 000003
【図２】
0003193267.tif 000004
【図３】
0003193267.tif 000005
【図４】
0003193267.tif 000006
【図５】
0003193267.tif 000007
【図６】
0003193267.tif 000008
【図７】
0003193267.tif 000009